(57)【要約】【課題】  手摺ブラケットの取付部への衝突を回避すると共に、美観の向上を図り、施工を容易にし、強度の向上を図れるようにすること。【解決手段】  腰壁パネル１０の上端部の壁面に横設される見切り材２０を、凹溝２２を有すると共に、凹溝２２の開口部側の対向する上下端に係合片２３，２４を有するレール部材にて形成する。手摺ブラケット４０を、凹溝２２の上下端部を包囲すると共に、係合片に係合する係止部４１，４２と、両係止部を連結する垂直状の突条部４３と、突条部の裏面側から延在され、凹溝内に係止固定される取付フランジ４４と、突条部の表面に突設される笠木取付部４５とで構成する。手摺ブラケットの係止部及び突条部の断面形状と略同一の断面形状を有するカバー６０に、係合片に係合する係止片６２，６３を設け、カバーを見切り材の凹溝の上下部を包囲するように嵌装して、手摺ブラケットの係止部及び突条部の表面と同一面上に位置する。【選択図】    図２
2005113506.tif 000002
【特許請求の範囲】
【請求項１】
床面より所定高さの壁面まで配設される腰壁パネルと、この腰壁パネルの上端部に当接すべく上記壁面に横設される見切り材と、この見切り材に取り付けられる手摺ブラケットと、この手摺ブラケットの取付部を隠蔽するカバーとを具備する手摺付き腰壁であって、
上記見切り材は、長手通しの凹溝を有すると共に、凹溝の開口部側の対向する上下端に一対の係合片を有するレール部材にて形成され、
上記手摺ブラケットは、上記凹溝の上下端部を包囲すると共に、上記係合片に係合する一対の係止部と、両係止部を連結する垂直状の突条部と、この突条部の裏面側から左右に延在され、上記凹溝内に係止固定される取付フランジと、上記突条部の表面に突設される笠木取付部とを具備し、
上記カバーは、上記手摺ブラケットの係止部及び突条部の断面形状と略同一の断面形状を有すると共に、上記係合片に係合する一対の係止部を有し、上記見切り材の凹溝の上下部を包囲するように嵌装されて、手摺ブラケットの係止部及び突条部の表面と同一面上に位置してなることを特徴とする手摺付き腰壁。
【請求項２】
請求項１記載の手摺付き腰壁において、
上記見切り材の凹溝の底面に補強板が固定され、
上記手摺ブラケットの取付フランジを固定するねじ部材が、上記補強板にねじ結合されていることを特徴とする手摺付き腰壁。
【請求項３】
請求項１記載の手摺付き腰壁において、
壁裏面に補強板が固定され、
上記手摺ブラケットの取付フランジを固定するねじ部材が、見切り材及び壁を貫通して上記補強板にねじ結合されていることを特徴とする手摺付き腰壁。
【発明の詳細な説明】
【技術分野】
【０００１】
この発明は手摺付き腰壁に関するもので、更に詳細には、壁面に配設される腰壁パネルの上端部に当接して壁面に横設される見切り材に手摺ブラケットを取り付けた手摺付き腰壁に関するものである。
【背景技術】
【０００２】
従来では、例えば廊下等の壁面を保護するために、床面の高さから人間の腰のあたりの高さに板状のパネルを装着して腰壁を形成している。
【０００３】
また、廊下には手摺を設けることが多いが、手摺が取り付けられた壁面の手摺周辺は、手が接触するために汚れ易くなる。
【０００４】
そこで、腰壁においては、腰壁を手摺設置高さよりもやや高く設けて、汚れ防止領域を設けると共に、腰壁面上に手摺を設置することが現状に行われている。
【０００５】
この場合、腰壁の壁面上に手摺ブラケットを係止固定するため、壁面に突出してしまうので、歩行中に手が当たったり、ワゴンやストレッチャ等が衝突する虞がある。
【０００６】
手摺ブラケットを壁面から突出させないようにするために、従来では、パネル面材の一部を開口して、狭隘開口部を有するレール状の手摺受材を埋め込み、手摺固定部と嵌合部とからなる手摺ブラケットの嵌合部を、手摺受材の開口部内に挿入し、手摺受材の開口部に嵌合される手摺受カバー材によって固定する手摺の取付構造が知られている（例えば、特許文献１参照）。
【０００７】
また、壁に狭隘開口状の溝形材を取り付け、この溝形材の開口部内に手摺ブラケットに設けられた係止板を係止し、手摺ブラケットの側方の溝形材の開口部をカバー材で閉塞すると共に、手摺ブラケットの付け根部分に化粧板を取り付けた構造の手摺付き壁装置が知られている（例えば、特許文献２参照）。
【特許文献１】特開２００１−９０３０１（特許請求の範囲、図１）
【特許文献２】実公平４−３７１５５号公報（実用新案登録請求の範囲、第２図、第３図）
【発明の開示】
【発明が解決しようとする課題】
【０００８】
しかしながら、前者すなわち特開２００１−９０３０１に記載のものは、手摺受材の開口部内における手摺ブラケットの嵌合部の両側に手摺受カバー材を嵌合する構造であるため、手摺受カバー材の取り付けに手間を要する上、手摺ブラケットの嵌合部が外部に露出するので、美観が損なわれるという問題があった。
【０００９】
これに対して、後者すなわち実公平４−３７１５５号公報に記載のものにおいては、化粧板によって手摺ブラケットの取付部を外部から目隠しすることができるが、これにおいては、カバー材が複数必要な上、更に、化粧板が必要なため、構成部材が多くなると共に、施工に手間を要するという問題があった。また、カバー材は連続状でなく、カバー材間に化粧板が介在されるために、美観が損なわれるという問題もある。
【００１０】
また、特開２００１−９０３０１及び実公平４−３７１５５号公報に記載のものは、いずれも手摺ブラケットの取付部が手摺受材や溝形材の開口部内に挿入（係止）され、両側部をカバー材によって固定する構造であるため、十分な強度が得られないという問題がある。
【００１１】
この発明は、上記事情に鑑みてなされたもので、手摺ブラケットの取付部を隠蔽して、取付部への衝突を回避すると共に、手摺ブラケットと腰壁とに一体感を持たせて美観の向上を図れるようにし、また、施工を容易にすると共に、強度の向上を図れるようにすることを課題とする。
【課題を解決するための手段】
【００１２】
上記課題を解決するために、この発明は、床面より所定高さの壁面まで配設される腰壁パネルと、この腰壁パネルの上端部に当接すべく上記壁面に横設される見切り材と、この見切り材に取り付けられる手摺ブラケットと、この手摺ブラケットの取付部を隠蔽するカバーとを具備する手摺付き腰壁であって、  上記見切り材は、長手通しの凹溝を有すると共に、凹溝の開口部側の対向する上下端に一対の係合片を有するレール部材にて形成され、  上記手摺ブラケットは、上記凹溝の上下端部を包囲すると共に、上記係合片に係合する一対の係止部と、両係止部を連結する垂直状の突条部と、この突条部の裏面側から左右に延在され、上記凹溝内に係止固定される取付フランジと、上記突条部の表面に突設される笠木取付部とを具備し、  上記カバーは、上記手摺ブラケットの係止部及び突条部の断面形状と略同一の断面形状を有すると共に、上記係合片に係合する一対の係止部を有し、上記見切り材の凹溝の上下部を包囲するように嵌装されて、手摺ブラケットの係止部及び突条部の表面と同一面上に位置してなることを特徴とする（請求項１）。
【００１３】
この発明において、上記見切り材の凹溝の底面に補強板を固定し、上記手摺ブラケットの取付フランジを固定するねじ部材を、上記補強板にねじ結合してもよい（請求項２）。
【００１４】
また、壁裏面に補強板を固定し、上記手摺ブラケットの取付フランジを固定するねじ部材が、見切り材及び壁を貫通して上記補強板にねじ結合されるようにしてもよい（請求項３）。
【発明の効果】
【００１５】
この発明の手摺付き腰壁は、上記のように構成されているので、以下のような効果が得られる。
【００１６】
（１）請求項１記載の発明によれば、見切り材を、長手通しの凹溝の開口部側の対向する上下端に一対の係合片を有するレール部材にて形成し、手摺ブラケットに、凹溝の上下端部を包囲すると共に、係合片に係合する一対の係止部と、両係止部を連結する垂直状の突条部と、この突条部の裏面側から左右に延在され、凹溝内に係止固定される取付フランジと、突条部の表面に突設される笠木取付部とを設け、手摺ブラケットの係止部及び突条部の断面形状と略同一の断面形状を有するカバーに、係合片に係合する一対の係止部を設け、このカバーを見切り材の凹溝の上下部を包囲するように嵌装して、手摺ブラケットの係止部及び突条部の表面と同一面上に位置するので、カバーを見切り材の凹溝の上下部を包囲するよう嵌装して手摺ブラケットの取付部を外部から確実に隠蔽することができる。したがって、施工を容易にすることができると共に、見切り材とカバーとを一体感を持たせて美観の向上を図ることができる。また、手摺ブラケットは、係止部が見切り材の係止片に係合され、かつ、取付フランジが見切り材の凹溝内に係止固定されると共に、カバー内に埋設されるので、取付フランジを十分大きく形成することができると共に、手摺ブラケットから伝達される荷重を分散させることができ、強度上の安全性の向上を図ることができる。
【００１７】
（２）請求項２記載の発明によれば、見切り材の凹溝の底面に補強板を固定し、上記手摺ブラケットの取付フランジを固定するねじ部材を、上記補強板にねじ結合するので、上記（１）に加えて更に強度の向上を図ることができる。
【００１８】
（３）請求項３記載の発明によれば、壁裏面に補強板を固定し、上記手摺ブラケットの取付フランジを固定するねじ部材が、見切り材及び壁を貫通して上記補強板にねじ結合するので、上記（１）に加えて更に強度の向上を図ることができる。
【発明を実施するための最良の形態】
【００１９】
以下に、この発明の最良の実施形態を添付図面に基づいて詳細に説明する。
【００２０】
＜第１実施形態＞
図１は、この発明に係る手摺付き腰壁の第１実施形態の全体を示す概略斜視図、図２は、手摺付き腰壁の要部を示す断面斜視図、図３は、図２のＩ−Ｉ線に沿う断面図、図４は、図２のII−II線に沿う断面図、図５は、図２のIII−III線に沿う断面図、図６は、手摺付き腰壁の要部を示す分解斜視図である。
【００２１】
上記手摺付き腰壁は、図１に示すように、例えば廊下の床面１より所定高さの壁面２まで配設される腰壁パネル１０と、この腰壁パネル１０の上端部に当接すべく壁面２に横設される見切り材２０と、腰壁パネル１０の下端部表面を被覆すべく横設される幅木材３０と、適宜間隔をおいて見切り材２０に取り付けられる手摺ブラケット４０と、手摺ブラケット４０に横架される笠木５０と、見切り材２０に取り付けられる手摺ブラケット４０の取付部を隠蔽するカバー６０とで主に構成されている。この場合、腰壁は、壁３の出隅部に形成されており、各壁面２に形成された腰壁パネル１０の出隅部側は、出隅部に配設されるコーナーパネル７０に当接されている。
【００２２】
上記腰壁パネル１０は、例えば硬質塩化ビニルやＡＢＳ樹脂等の合成樹脂製板材にて形成されており、壁３の横方向（水平方向）に列設されて壁面２に接着されて腰壁を構成している。この場合、各腰壁パネル１０は、例えば、図９に示すように、幅方向の左右端部に、それぞれ略クランク状の接合段部１１が形成されており、左右に隣接する腰壁パネル１０の接合段部１１を若干ずらして接合した状態で、壁面２に接着することで、腰壁パネル１０間に縦方向に延びる目地部１２が形成されている。
【００２３】
また、図１０に示すように、各腰壁パネル１０の左右端部に略クランク状の接合段部１１を形成すると共に、腰壁パネル１０の中央部に縦方向に延びる目地部１２と同じ幅の目地模様溝１２Ｂを形成して、隣接する腰壁パネル１０間に形成される目地部１２間に目地模様溝１２Ｂを設けるようにしてもよい。
【００２４】
上記見切り材２０は、例えば、アルミニウム合金製の押出形材にて形成されるレール部材にて形成されている。この見切り材２０は、図２ないし図４及び図６に示すように、長手通しの断面略コ字状の凹溝２２が形成されており、凹溝２２の開口部側の対向する上下端に一対の係合片すなわち上部係合片２３及び下部係合片２４が形成されている。この場合、上部係合片２３と下部係合片２４は、上方に向かって傾斜状に形成されている。
【００２５】
また、見切り材２０の凹溝２２の底面には、例えば鋼板にて形成される補強板８０が当接されると共に、固定ねじ８１によって固定されている。
【００２６】
上記手摺ブラケット４０は、図２ないし図７に示すように、見切り材２０の凹溝２２の上下端部を包囲すると共に、上部及び下部係合片２３，２４に係合する一対の係止部すなわち上部係止部４１及び下部係止部４２と、上部及び下部係止部４１，４２を連結する垂直状の突条部４３と、この突条部４３の裏面側から左右に延在され、凹溝２２内に係止固定される略矩形板状の取付フランジ４４と、突条部４３の表面に突設される笠木取付部４５とで構成されている。
【００２７】
この場合、上部及び下部係止部４１，４２には、凹溝２２の上部及び下部係合片２３，２４にそれぞれ摺動及び係脱可能に嵌合する嵌合溝４１ａ，４２ａが設けられている。また、取付フランジ４４の左右２箇所には、表面側が拡開テーパ状の取付孔４６が穿設されている。また、笠木取付部４５は、突条部４３の下端部側から略水平に突出する水平片４５ａと、この水平片４５ａの先端から略垂直状に起立する垂直片４５ｂとからなる略Ｌ字状に形成されている。
【００２８】
上記のように構成される手摺ブラケット４０は、例えばアルミニウム合金ダイキャストによって形成されている。この手摺ブラケット４０は、見切り材２０の上部及び下部係合片２３，２４に上部及び下部係止部４１，４２に設けられた嵌合溝４１ａ，４２ａを嵌合した状態で見切り材２０に沿って摺動することができるようになっている。また、手摺ブラケット４０は、見切り材２０の所定箇所まで摺動（移動）した状態で、取付フランジ４４に設けられた取付孔４６に、手摺ブラケット４０を固定するねじ部材である例えば皿子ねじからなる固定ビス４７を貫挿し、ねじ込み操作に伴って固定ビス４７を補強板８０にねじ込むと共に、見切り材２０及び壁３にねじ結合した状態で見切り材２０の凹溝２２に係止固定されるようになっている。
【００２９】
上記のように、手摺ブラケット４０は、上部及び下部係止部４１，４２に設けられた嵌合溝４１ａ，４２ａを見切り材２０の上部及び下部係合片２３，２４に嵌合し、取付フランジ４４を凹溝２２内に係止した状態で、固定ビス４７を見切り材２０に配置された補強板８０にねじ結合して固定される。したがって、手摺ブラケット４０が衝撃を受けても見切り材２０を介して集中荷重を分散することができるので、強度の向上を図ることができる。
【００３０】
一方、上記カバー６０は、図２ないし図７に示すように、手摺ブラケット４０の上部係止部４１、下部係止部４２及び突条部４３の断面形状と略同一の断面形状を有する例えば硬質塩化ビニルやＡＢＳ樹脂等の合成樹脂製部材にて形成されている。すなわち、カバー６０は、手摺ブラケット４０の突条部４３と略同一断面形状のカバー本体６１と、このカバー本体６１の上下端から水平方向に突出する、上部及び下部係止部４１，４２と略同一断面形状の上部係止片６２及び下部係止片６３とで構成されており、上部及び下部係止片６２，６３には、それぞれ見切り材２０の上部及び下部係合片２３，２４に摺動及び係脱可能に嵌合する嵌合溝６２ａ，６３ａが形成されている。
【００３１】
このように構成されるカバー６０は、見切り材２０の凹溝２２の上下部を包囲するように嵌装される。具体的には、上部及び下部係止片６２，６３が見切り材２０の上部及び下部係合片２３，２４を包囲するように嵌合溝６２ａ，６３ａを上部及び下部係合片２３，２４に嵌合される。この場合、カバー６０の上部及び下部係合片６２，６３を離反する方向に弾性変形して見切り材２０の表面側から凹溝２２を包囲しつつ嵌合溝６２ａ，６３ａを上部及び下部係合片２３，２４に嵌合（いわゆるスナップ嵌合）して嵌装する。見切り材２０に嵌装されたカバー６０を突条部４３の側面に当接することで、取付フランジ４４を隠蔽した状態で、カバー６０は手摺ブラケット４０の上部、下部係止部４１，４２及び突条部４３の表面と同一面上に位置される。
【００３２】
したがって、手摺ブラケット４０の突条部４３とカバー６０とが連続した一体感を持たせることができるので、美観の向上を図ることができる。また、カバー６０の上部及び下部係止片６２，６３の弾性変形によって見切り材２０の面方向から包囲して嵌合溝６２ａ，６３ａと上部及び下部係合片２３，２４とを嵌合することができるので、施工を容易にすることができる。また、凹溝２２内に係止固定された取付フランジ４４がカバー６０内に埋設されるので、取付フランジ４４を左右に十分大きく形成することができると共に、手摺ブラケット４０から伝達される荷重を分散させることができ、強度の向上を図ることができる。
【００３３】
次に、手摺付き腰壁の施工手順について説明する。まず、床面１より所定高さ、すなわち腰のあたりの高さまで腰壁パネル１０を壁３の高さ方向に列設すると共に、壁面２に接着して、互いに平行な複数の垂直方向の目地部１２を有する腰壁の基部を構成する。次に、腰壁基部の上端部の表面側を若干覆うように、見切り材２０の下端部を当接した状態で壁面２に接着して、見切り材２０を横設する。この際、予め見切り材２０の凹溝２２の底面に補強板８０を当接しておき、補強板８０に適宜間隔をおいて設けられた取付孔８０ａを貫通する固定ねじ８１を、見切り材２０及び壁３にねじ結合して、見切り材２０を固定する。
【００３４】
次に、手摺ブラケット４０の上部及び下部係止片６２，６３に設けられた嵌合溝６２ａ，６３ａを、見切り材２０の上部及び下部係合片２３，２４に嵌合し、取付フランジ４４を見切り材２０の凹溝２２内に挿入して、手摺ブラケット４０が位置する見切り材２０の所定箇所まで摺動（移動）する。なお、この場合、手摺ブラケット４０を予め見切り材２０に摺動可能に取り付けておいてもよい。そして、所定位置に移動された取付フランジ４４に設けられた取付孔４６に固定ビス４７を貫挿し、ねじ込み操作に伴って固定ビス４７を補強板８０にねじ込むと共に、見切り材２０及び壁３にねじ結合して取付フランジ４４を係止固定する。
【００３５】
次に、カバー６０の上部及び下部係止片６２，６３を見切り材２０の表面側から上部及び下部係合片２３，２４に包囲するように嵌合溝６２ａ，６３ａを上部及び下部係合片２３，２４に嵌合（嵌装）して、突条部４３の側面に当接する。これにより、カバー６０の表面と手摺ブラケット４０の上部、下部係止部４１，４２及び突条部４３の表面とが同一面上に位置される。
【００３６】
なお、手摺ブラケット４０を見切り材２０の凹溝２２内に係止固定した後、手摺ブラケット４０の笠木取付部４５に笠木５０を取り付ける。
【００３７】
そして、腰壁基部を構成する最下端部の腰壁パネル１０の下端表面に幅木材３０を横設して、施工を終了する。なお、幅木材３０の横設作業は、必ずしも見切り材２０を横設した後である必要はなく、見切り材２０を横設する前に幅木材３０の横設作業を行ってもよい。
【００３８】
＜第２実施形態＞
上記実施形態では、補強板８０が見切り材２０の凹溝２２の底面に当接される場合について説明したが、補強板８０は必ずしも見切り材２０の凹溝２２内に配設する必要はない。例えば、図８に示すように、壁３の裏面に補強板８０Ａを固定して、手摺ブラケット４０の取付フランジ４４に設けられた取付孔４６を貫挿する固定ビス４７を、見切り材２０及び壁３を貫通して補強板８０Ａにねじ結合するようにしてもよい。
【００３９】
なお、第２実施形態において、その他の部分は第１実施形態と同じであるので、同一部分には同一符号を付して説明は省略する。
【００４０】
第２実施形態の手摺付き腰壁を形成する場合は、予め腰壁を取り付ける壁３の裏面に補強板８０Ａを接着しておき、第１実施形態の場合と同様な手順で施工する。
【００４１】
すなわち、まず、床面１より所定高さ、すなわち腰のあたりの高さまで腰壁パネル１０を壁３の高さ方向に列設すると共に、壁面２に接着して、互いに平行な複数の垂直方向の目地部１２を有する腰壁の基部を構成する。次に、腰壁基部の上端部の表面側を若干覆うように、見切り材２０の下端部を当接した状態で壁面２に接着して、見切り材２０を横設する。
【００４２】
次に、手摺ブラケット４０の上部及び下部係止片６２，６３に設けられた嵌合溝６２ａ，６３ａを、見切り材２０の上部及び下部係合片２３，２４に嵌合し、取付フランジ４４を見切り材２０の凹溝２２内に挿入して、手摺ブラケット４０が位置する見切り材２０の所定箇所まで摺動（移動）する。そして、所定位置に移動された取付フランジ４４に設けられた取付孔４６に固定ビス４７を貫挿し、ねじ込み操作に伴って固定ビス４７を見切り材２０及び壁３にねじ込むと共に、補強板８０Ａにねじ結合して取付フランジ４４を係止固定する。
【００４３】
次に、カバー６０の上部及び下部係止片６２，６３を見切り材２０の表面側から上部及び下部係合片２３，２４に包囲するように嵌合溝６２ａ，６３ａを上部及び下部係合片２３，２４に嵌合（嵌装）して、突条部４３の側面に当接する。これにより、カバー６０の表面と手摺ブラケット４０の上部、下部係止部４１，４２及び突条部４３の表面とが同一面上に位置される。
【００４４】
なお、手摺ブラケット４０を見切り材２０の凹溝２２内に係止固定した後、手摺ブラケット４０の笠木取付部４５に笠木５０を取り付ける。
【００４５】
そして、腰壁基部を構成する最下端部の腰壁パネル１０の下端表面に幅木材３０を横設して、施工を終了する。
【００４６】
＜第３実施形態＞
上記実施形態では、複数の腰壁パネル１０を横方向（水平方向）に列設して腰壁基部を構成する場合について説明したが、腰壁基部の形態は必ずしもこの形態に限定されるものではない。例えば、図１１に示すように、長尺の板材にて腰壁パネル１０Ａを形成し、これら腰壁パネル１０Ａを壁３の高さ方向に列設し壁面２に接着して腰壁基部を構成するようにしてもよい。この場合、各腰壁パネル１０Ａは、幅方向の上下端部に、それぞれ略クランク状の接合段部（図示せず）が形成されており、上下に隣接する腰壁パネル１０Ａの接合段部を若干ずらして接合した状態で、壁面２に接着することで、腰壁パネル１０Ａ間に横方向に延びる目地部１２Ａが形成されている。
【００４７】
なお、第３実施形態において、その他の部分は、第１実施形態と同様に形成されるので、同一部分には同一符号を付して説明は省略する。また、第３実施形態においても、第１実施形態の補強板８０に代えて第２実施形態のように壁３の裏面に補強板８０Ａを配置してもよい。
【図面の簡単な説明】
【００４８】
【図１】この発明に係る手摺付き腰壁の第１実施形態を示す概略斜視図である。
【図２】第１実施形態の手摺付き腰壁の要部を示す断面斜視図である。
【図３】図２のＩ−Ｉ線に沿う断面図である。
【図４】図２のII−II線に沿う断面図である。
【図５】図２のIII−III線に沿う断面図である。
【図６】第１実施形態の手摺付き腰壁の要部を示す分解斜視図である。
【図７】この発明における手摺ブラケットの取付状態を示す斜視図である。
【図８】この発明に係る手摺付き腰壁の第２実施形態の要部を示す断面斜視図である。
【図９】第１実施形態における腰壁パネルの接合状態を示す断面斜視図である。
【図１０】第１実施形態における別の腰壁パネルの接合状態を示す断面斜視図である。
【図１１】この発明に係る手摺付き腰壁の第３実施形態を示す概略斜視図である。
【符号の説明】
【００４９】
１  床面
２  壁面
３  壁
１０，１０Ａ  腰壁パネル
２０  見切り材
２２  凹溝
２３  上部係合片
２４  下部係合片
４０  手摺ブラケット
４１  上部係止部
４１ａ  嵌合溝
４２  下部係止部
４２ａ  嵌合溝
４３  突条部
４４  取付フランジ
４５  笠木取付部
４７  固定ビス
５０  笠木
６０  カバー
６１  カバー本体
６２  上部係止片
６２ａ  嵌合溝
６３  下部係止片
６３ａ  嵌合溝
８０，８０Ａ  補強板
８１  固定ねじ
【図１】
2005113506.tif 000003
【図２】
2005113506.tif 000004
【図３】
2005113506.tif 000005
【図４】
2005113506.tif 000006
【図５】
2005113506.tif 000007
【図６】
2005113506.tif 000008
【図７】
2005113506.tif 000009
【図８】
2005113506.tif 000010
【図９】
2005113506.tif 000011
【図１０】
2005113506.tif 000012
【図１１】
2005113506.tif 000013